【事件の表示】
　特願２０００−１１６０２４「サーマルヘッド駆動方法及び装置」拒絶査定不服審判事件〔平成１３年１０月３０日出願公開、特開２００１−３０１２２２〕について、次のとおり審決する。
【結　論】
　本件審判の請求は、成り立たない。
【理　由】
第１　手続の経緯　
　本願は、平成１２年４月１８日の出願であって、平成２１年７月２日及び同年１０月８日に手続補正がなされ、平成２１年１０月８日付け手続補正は同年１１月１２日付けで却下されるとともに同日付けで拒絶査定がなされ、これに対して、平成２２年１月２２日に拒絶査定不服審判が請求されると同時に手続補正がなされたものである。
　なお、請求人は、当審における平成２２年６月１日付け審尋に対して同年７月７日付けで回答書を提出している。
　
第２　平成２２年１月２２日付け手続補正についての補正却下の決定
　
〔補正却下の決定の結論〕
　平成２２年１月２２日付け手続補正を却下する。
　
〔理由〕
１　本件補正の内容
（１）平成２２年１月２２日付け手続補正（以下「本件補正」という。）は、特許請求の範囲及び発明の詳細な説明についてするもので、特許請求の範囲については、本件補正前の請求項１に、
　
「被加熱印刷体を加熱するサーマルヘッドの発熱体と、
　
前
パルスを印加して複数の異なる温度に加熱する
　前記加熱制御手段で、前記発熱体を１ライン周期の間に第１の温度に加熱するため
の第
い第
遅れて前
　
「被加熱印刷体を加熱するサーマルヘッドの発熱体と、
　
高温発色温度まで加熱する第１のパルスと低温発色温度まで加熱する第２のパルスを並列信号で処理して前
印加する
　前記加熱制御手段で、前記発熱体を１ライン周期の間に第１の温度に加熱するため
の前記第
い前記第
　前記第１のパルスより
も印加開始のタイミングが遅れて、しかも前記第１のパルスの印加期間と印加開始が重なるように前
　
（２）本件補正後の請求項１に係る上記（１）の補正は、次のア及びイの補正事項からなる。
　ア　本件補正前の請求項１に記載した発明を特定するために必要な事項である「前記発熱体にパルスを印加して複数の異なる温度に加熱する加熱制御手段」を「高温発色温度まで加熱する第１のパルスと低温発色温度まで加熱する第２のパルスを並列信号で処理して前記発熱体に印加する加熱制御手段」として、発熱体に印加するパルスが第１のパルスと第２のパルスであり、該第１及び第２のパルスは並列信号で処理されるものであり、かつ、複数の異なる温度に加熱するとは、第１のパルスが高温発色温度まで加熱し、第２のパルスが低温発色温度まで加熱することである旨限定し、この限定に合わせてその後の「第１のパルス」及び「第２のパルス」の記載に「前記」を付加する。
　
　イ　本件補正前の請求項１に記載した発明を特定するために必要な事項である「前記第１のパルスより遅れて前記第２のパルスを印加するように印加タイミングに時間差を設ける」を「前記第１のパルスよりも印加開始のタイミングが遅れて、しかも前記第１のパルスの印加期間と印加開始が重なるように前記第２のパルスを印加するようにして印加タイミングに時間差を設ける」として、遅れる印加タイミングが「印加開始」のタイミングであることを限定し、かつ、第２のパルスの印加開始が第１のパルスの印加期間と重なることを限定する。
　
２　本件補正の目的
　本件補正後の請求項１に係る上記１（２）の補正は、本件補正前の請求項１に記載した発明を特定するために必要な事項を限定するものであるから、平成１８年法律第５５号改正附則第３条第１項によりなお従前の例によるとされる同法による改正前の特許法第１７条の２第４項第２号の「特許請求の範囲の減縮」を目的とするものである。
　そこで、本件補正後の請求項１に係る発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３　刊行物の記載
（１）原査定の拒絶の理由に引用された「本願の出願前に頒布された刊行物である特開平１１−１３８８８３号公報（以下「引用例１」という。）」には、次の事項が図とともに記載されている。
　ア　「【０００１】
【発明の属する技術分野】本発明は、例えば加熱温度に応じて異なる発色をする感熱体に対して好適な、異なる加熱温度を同一走査時に出力が可能なサーマルヘッドに関する。
【０００２】
【従来の技術】サーマルヘッドにより感熱紙に対して印刷する場合、従来では、図４（Ａ）に示す如く、印字エネルギー（温度）をＴ０より高くすると印字温度が例えば黒色の如き一定の色として印刷され、それより低いエネルギーの場合印字濃度は薄くなるので、印字したくない部分はサーマルヘッドを加熱しない。つまり一ライン上でのデータの有無により印字する、印字しないの動作制御のみを行っている。
【０００３】またこの制御を行うにあたり、サーマルヘッド基板の蓄熱による温度上昇を制限するための履歴制御回路を付加したものも存在するが、印字に際してサーマルヘッドを単一温度、つまり単一のエネルギーに制御することが目標であった。
【０００４】近年、
高温のサーマルヘッドで印刷するときは例えば黒色で印刷され、低温のサーマルヘッドで印刷するときは例えば赤色で印刷されるという複数色感熱用紙
【０００５】即ち、この種の感熱用紙は、図４（Ｂ）に示す如く、サーマルヘッドの印字エネルギー（温度）がＴ２のとき、例えば赤に発色し、印字エネルギーがＴ１のとき（Ｔ２＜Ｔ１）黒に発色する。なおＴ１よりも更に高くすると白化現象が現れる。なおこの種の感熱用紙は赤−黒の組み合わせのみでなく、印字エネルギーの低・高に基づき他の色の組み合わせのものも存在する。
【０００６】
【発明が解決しようとする課題】ところでこのような複色感熱用紙を使用して、複色印刷を行うとき、例えば図５（Ａ）に示す如く、走査線Ｌ０上での赤黒印刷を行う場合、従来ではサーマルヘッドを、例えば先ず赤色用の印字データ部分を低温度に対応する電流量によりデータ転送を行い、それから再度同一走査線Ｌ０上を高温度に対応する電流量によりデータ転送を行うことが必要であった。
【０００７】また、図５（Ｂ）に示す如き、赤黒２色印刷を行う場合でも走査線Ｌ０、Ｌ１・・・において、これまた赤色部分の印字データを低温度に対応する電流量によりデータ転送を行い、それから同一走査線Ｌ０、Ｌ１・・・上を高温度に対応する電流量によりデータ転送を行っていた。
【０００８】このように２種類のエネルギーに対応するため、１ラインにおいて２回のデータ転送を行い、各々のエネルギーを設定していた。このため１ラインにおいて２回のデータ転送を必要とするため印字速度が遅いという問題があった。
【０００９】従って本発明の目的は、１ラインにおいて異なるエネルギー設定を行う場合でも一回の走査でこれを可能としたサーマルヘッドを提供することである。」
　
　イ　「【００１０】
【課題を解決するための手段】前記目的を達成するため、本発明では、図１（Ａ）に示す如く、
サーマルヘッドの制御回路
【００１１】図１（Ａ）において、１はＦＥＴであり、図示省略したサーマルヘッドの１ドットのヒータが端子ＤＯｎに接続されており、これをオンオフ制御するものである。２はオア回路、３〜５は多入力アンド回路、６はアンド回路、７〜１０はナンド回路、１１、１２はＥＯＲ（エクスクルシーブオア）回路、１３は出力保護回路、１４〜１８はインバータ、１９、２０はナンド回路、２１はＥＯＲ回路、２２〜２４はインバータである。
【００１２】出力保護回路１３は、サーマルヘッドを構成するＩＣが正常動作のとき、多入力アンド回路３、４に「１」を出力するものである。また図１（Ｂ）に示す、高エネルギー部の印字ドットＱ１、Ｑ２、Ｑ３、ＬＱ２、ＲＱ２の有無を示す信号が、図１（Ａ）に示す信号Ｑ１、Ｑ２、Ｑ３、ＬＱ２、ＲＱ２として入力され、図１（Ｃ）に示す、低エネルギー部の印字ドットｑ１、ｑ２、ｑ３の有無を示す信号が、図１（Ａ）に示す信号ｑ１、ｑ２、ｑ３として入力される。
【００１３】そして、後述する如く、
ストローブ信号ＳＴＲＯＢＥ１は、サーマルヘッドを高エネルギー部として長時間加熱して用紙上に黒色印字するためのものであり、ストローブ信号ＳＴＲＯＢＥ２はサーマルヘッドを低エネルギー部として短時間加熱して用紙上に例えば赤色印字するためのものであり、ＳＴＲＯＢＥ１＞ＳＴＲＯＢＥ２である
【００１４】いま、図１（Ｂ）に示す該当印字Ｑ１を印字するとき、Ｑ２、Ｑ３、ＬＱ２、ＲＱ２に印字データがなければ、これらは「０」であり、ナンド回路７〜１０はいずれも「１」を出力するので、多入力アンド回路５及び多入力アンド回路３はいずれも「１」を出力し、オア回路２はこれによりストローブ信号ＳＴＲＯＢＥ１により定められた時間Ｔ１だけＦＥＴ１をオンにし、サーマルヘッドのヒータを加熱する。
【００１５】しかしＱ２、Ｑ３、ＬＱ２、ＲＱ２の少なくとも１つに印字データがあれば、その蓄熱効果を考慮して、後述するように、これに応じたゲート信号Ａ１、Ｂ１、Ａ２、Ｂ２に基づき制御される時間だけ多入力アンド回路５から「０」が出力されて前記ストローブ信号ＳＴＲＯＢＥ１による多入力アンド回路３の「１」の出力時間が前記Ｔ１よりも短くなるように制御し、ストローブ信号ＳＴＲＯＢＥ１におけるサーマルヘッドのヒータのエネルギーが等しくなるように制御する。
【００１６】また図１（Ｃ）に示す該当印字ｑ１を印字するとき、ｑ２、ｑ３に印字データがなければ、これらは「０」であり、ナンド回路１９、２０はいずれも「１」を出力するのでアンド回路６及び多入力アンド回路４はいずれも「１」を出力し、オア回路２はこれによりストローブ信号ＳＴＲＯＢＥ２により定められた時間Ｔ２（Ｔ１＞Ｔ２）だけＦＥＴ１をオンにし、サーマルヘッドのヒータを加熱する。
【００１７】しかしｑ２、ｑ３の少なくとも１つに印字データがあれば、その蓄熱効果を考慮して、後述するように、これに応じたゲート信号Ｃ１、Ｃ２に基づき制御される時間だけアンド回路６から「０」が出力されて前記ストローブ信号ＳＴＲＯＢＥ２による多入力アンド回路４の「１」の出力時間が前記Ｔ２よりも短くなるように制御し、ストローブ信号ＳＴＲＯＢＥ２におけるサーマルヘッドのヒータのエネルギーが等しくなるように制御する。
【００１８】このようにして、一走査ラインにおいて長、短の複数の種類のストローブ信号により印字ヘッドを付勢することができるので、複数の熱エネルギーに対して異なる色を発色するような用紙に対しても、一回の印字走査により印字ヘッドを複数の熱エネルギーで制御することができ、一回の印字走査により複数の色の印字を行うことができる。
【００１９】従って、従来のように同一走査ラインを発色数に応じて複数回走査する必要がなく、高速に複数の色の印字を行うことができる。」
　
　ウ　「【００２０】
【発明の実施の形態】本発明の一実施の形態を図１〜図３に基づき説明する。図１は本発明におけるサーマルヘッドの１ドット当たりの制御回路を示し、図２はこの制御回路に印加される制御信号説明図であり、図３は本発明の一実施の形態図である。
【００２１】なお図２に示す各種の制御信号は、図示省略した制御信号出力回路より出力されるものであり、いずれも同じ周期Ｓで出力されるものである。図２（Ａ）に示す制御信号は、サーマルヘッドを高エネルギー状態で制御する場合の各種制御信号であり、同（Ｂ）に示す制御信号はサーマルヘッドを低エネルギー状態で制御する場合の各種制御信号である。
【００２２】
ＳＴＲＯＢＥ１信号は、
期間Ｔ
１
だけＦＥＴ１をオンにしてこれに接続されたサーマルヘッドを期間Ｔ
１
だけ加熱制御するものであり、図２（Ａ）に示す如く、期間Ｔ
１
だけローレベルである
【００２３】
ＧＡＴＥ Ａ１信号は、ＳＴＲＯＢＥ１信号と同時に立下がり、期間ｔ
１
後に立上がる
【００２４】ＧＡＴＥ Ｂ１信号は、ＳＴＲＯＢＥ１信号が立下がってから期間（ｔ１＋ｔ２＋ｔ３＋ｔ４）後に立下がり、それから期間ｔ５後に、ＳＴＲＯＢＥ１信号と同時に立上がるものである。
【００２５】ＧＡＴＥ Ｂ２信号は、ＳＴＲＯＢＥ１信号が立下がってから期間（ｔ１＋ｔ２＋ｔ３）後に立下がり、それから期間（ｔ４＋ｔ５）後に、ＳＴＲＯＢＥ１信号と同時に立上がるものである。
【００２６】また
ＳＴＲＯＢＥ２信号は、
ＳＴＲＯＢＥ１信号と同時に立下がり、期間Ｔ
２
だけローレベルである
【００２７】
ＧＡＴＥ Ｃ１信号は、ＳＴＲＯＢＥ２信号と同時に立下がり、期間ｔ
６
後に立上がる
【００２８】そしてこれらＴ１、Ｔ２、ｔ１〜ｔ８は、用紙の特性に応じて適宜設定できるものである。まず図１、図２に基づき本発明における熱履歴制御について、
図１（Ｂ）及び図１（Ｃ）に示す印字制御範囲、つまり高エネルギー部分については印字ドットＱ１〜Ｑ３、ＬＱ２、ＲＱ２
低エネルギー部分については印字ドットｑ１〜ｑ３
【００２９】ここで
Ｑ１を該当印字ドットとするとき、Ｑ２はその１ライン直前の印字ドットを示し、Ｑ３はその２ライン直前の印字ドットを示す。またＬＱ２は１ライン前の左側の印字ドットを示し、ＲＱ２は１ライン前の右側の印字ドットを示す
【００３０】そして
ｑ１を該当印字ドットとするとき、ｑ２はその１ライン直前の印字ドットを示し、ｑ３は２ライン直前の印字ドットを示す
（１）印字ドットＱ１にのみ印字データが存在するとき、
図１（Ｂ）に示す
印字制御範囲において、該当印字ドットＱ１にのみ印字データがあり、Ｑ２、Ｑ３、ＬＱ２、ＲＱ２に印字データが存在しない場合、
【００３１】これら各「０」によりナンド回路７〜ナンド回路１０はそれぞれ「１」を出力するため、多入力アンド回路５は「１」を出力する。このときサーマルヘッドが正常であれば出力保護回路１３から「１」が出力され、Ｑ１＝「１」であり、インバータ１４に図２（Ａ）に示す如きＳＴＲＯＢＥ１信号が伝達されるので、図２（Ａ）に示す期間Ｔ１だけ多入力アンド回路３から「１」が出力される。このときｑ１＝「０」のため、多入力アンド回路４は「０」を出力する。
【００３２】このように、前記多入力アンド回路３から出力された「１」がオア回路２を経由してＦＥＴ１に入力されるので、結局オア回路２は、Ｑ１に印字データがあり、Ｑ２、Ｑ３、ＬＱ２、ＲＱ２に印字データがない場合、期間Ｔ１だけ「１」をＦＥＴ１に印加してこれをオンとし、ＦＥＴ１に接続された
サーマルヘッドのヒータを期間Ｔ
１
だけ加熱制御
【００３３】（２）印字ドットＱ１とＱ２に印字データが存在するとき、
該当印字ドットＱ１とその１ライン前の印字ドットＱ２に印字データが存在するとき、
【００３４】このときナンド回路７には、インバータ１５により、図２（Ａ）に示すＧＡＴＥ Ａ１信号の反転信号とＱ２＝「１」が印加されるので、図２における期間ｔ１の間だけナンド回路７は「０」を出力し、他は「１」を出力する。従って多入力アンド回路５は、図２に示す期間Ｔ１から期間ｔ１を引いた残りの期間（ｔ２＋ｔ３＋ｔ４＋ｔ５）は「１」を出力し、ＦＥＴ１もこの期間だけオンとなり、ＦＥＴ１に接続されたサーマルヘッドの
ヒータを（Ｔ
１
−ｔ
１
）期間だけ加熱制御
…略…
【００５３】（８）印字ドットｑ１にのみ印字データが存在するとき、
図１（Ｃ）に示す
印字制御範囲において、該当印字ドットｑ１にのみ印字データがあり、ｑ２、ｑ３に印字データが存在しない場合
【００５４】従ってｑ２＝「０」、ｑ３＝「０」によりナンド回路１９、２０にそれぞれ「１」を出力するため、多入力カンド回路６は「１」を出力する。このときサーマルヘッドが正常であれば出力保護回路１３から「１」が出力される。このときｑ１＝「１」であり、インバータ２２に図２（Ｂ）に示す如きＳＴＲＯＢＥ２信号が伝達されるので、図２（Ｂ）に示す期間Ｔ２だけ多入力アンド回路４から「１」が出力される。このときＱ１＝「０」のため、多入力アンド回路３は「０」を出力する。
【００５５】このように、前記多入力アンド回路４から出力された「１」がオア回路２を経由してＦＥＴ１に入力されるので、結局オア回路２は、ｑ１に印字データがあり、ｑ２、ｑ３に印字データがない場合、期間Ｔ２（Ｔ２＜Ｔ１）だけ「１」をＦＥＴ１に印加してこれをオンとし、ＦＥＴ１に接続されたサーマルヘッドの
ヒータを期間Ｔ
２
だけ加熱制御
【００５６】（９）印字ドットｑ１とｑ２に印字データが存在するとき、
該当印字ドットｑ１とその１ライン前の印字ドットｑ２に印字データが存在するとき、
【００５７】このときナンド回路１９には、インバータ２３により、図２（Ｂ）に示すＧＡＴＥ Ｃ１信号の反転信号とｑ２＝「１」が印加されるので、図２における期間ｔ６の間だけナンド回路１９は「０」を出力し、他は「１」を出力する。従ってアンド回路６は、図２に示す期間Ｔ２から期間ｔ６を引いた残りの期間（ｔ７＋ｔ８）は「１」を出力し、多入力アンド回路４及びオア回路２もこの期間（ｔ７＋ｔ８）だけ「１」を出力するので、ＦＥＴ１もこの期間だけオンとなり、ＦＥＴ１に接続されたサーマルヘッドの
ヒータを（Ｔ
２
−ｔ
６
）期間だけ加熱制御する
…略…
【００６５】以上説明のように、本発明により、サーマルヘッドのヒータにより高エネルギー部のデータでも低エネルギー部のデータでも任意に出力することが可能になる。例えば高エネルギー部のデータにより複数色感熱用紙を黒色印字制御したり、低エネルギー部のデータにより赤色印字制御すことができる。
【００６６】このような制御回路を備えた、本発明のサーマルヘッドの一実施の形態を、図３に基づき、他図を参照して説明する。図３では６４ビットの印字ヘッドを制御する例を示すものであり、他図と同一部分については同一記号を付している。図３においてＦＥＴ１は、図１（Ａ）で説明した該当印字ドットＱ１を印字制御するものであり、Ｌ１はこの該当印字ドットＱ１の左側の印字ドットを印字制御するＦＥＴを示し、Ｒ１は該当印字ドットＱ１の右側の印字ドットを印字制御するＦＥＴを示し、ＶＳＳは接地信号を示し、ＶＤＤは制御系の電源電圧を示す。
【００６７】３０はシフトレジスタであって、高エネルギー部Ｑ用の印字データが入力される６４ビットの第１のシフトレジスタ（図示省略）と、低エネルギー部ｑ用の印字データが入力される６４ビットの第２シフトレジスタ（図示省略）により構成される。この例では、ＣＬＯＣＫ信号により高エネルギー部Ｑの６４ビットの入力データがＤＡＴＡｉｎ１（Ｑ）より第１シフトレジスタにシリアル入力され、また低エネルギー部ｑの６４ビットの入力データがＤＡＴＡｉｎ２（ｑ）より第２シフトレジスタにシリアル入力され、それぞれＤＡＴＡｏｕｔ１（Ｑ）、ＤＡＴＡｏｕｔ（ｑ）より、例えば次段にシリアル出力される、また３１、３２、３３・・・は印字データを高エネルギー部Ｑ用３ビット、低エネルギー部ｑ用３ビットを保持するデータ保持用レジスタである。
【００６８】データ保持用レジスタ３１は、ＬＯＡＤ信号により入力端Ｄ１に伝達された１ビットの印字データを順次３ラインだけ保持するものであり、同じく入力端ｄ１に伝達された１ビットの印字データを順次３ラインだけ保持するものである。データ保持用レジスタ３２、３３・・・も同様である。
【００６９】例えば高エネルギー部に対する第１の印字データラインがシフトレジスタ３０の第１シフトレジスタにセットされ、低エネルギー部に対する第１の印字データラインがシフトレジスタ３０の第２シフトレジスタにセットされた後、ＬＯＡＤ信号をデータ保持用レジスタ３１、３２、３３・・・のＬＡＴＣＨ端子に入力すると、第１シフトレジスタの１ビット目のデータが伝達される入力端子Ｄ１に伝達されたデータがデータ保持用レジスタ３１に保持されてその端子Ｑ１より出力され、第２シフトレジスタの１ビット目のデータが伝達される入力端子ｄ１に伝達されたデータがこれまたデータ保持用レジスタ３１に保持されてその端子ｑ１より出力される。
【００７０】同様第１シフトレジスタ及び第２シフトレジスタの各２ビット目のデータがデータ保持用レジスタ３２の出力端子Ｑ１、ｑ１より出力され、第１シフトレジスタ及び第２シフトレジスタの各３ビット目のデータがデータ保持用レジスタ３３の出力端子Ｑ１、ｑ１より出力される。
【００７１】次に高エネルギー部に対する第２の印字データラインがシフトレジスタ３０の第１シフトレジスタにセットされ、低エネルギー部に対する第２の印字データラインがシフトレジスタ３０の第２シフトレジスタにセットされた後、ＬＯＡＤ信号をデータ保持用レジスタ３１、３２、３３・・・のＬＡＴＣＨ端子に入力すると、第１シフトレジスタの新しい１ビット目のデータが入力端子Ｄ１に伝達されてこれがデータ保持用レジスタ３１に保持されてその出力端子Ｑ１より出力され、それまで出力端子Ｑ１より出力されていたデータは次段にシフトされて出力端子Ｑ２より出力される。同様な制御が第２シフトレジスタについても行われ、第２シフトレジスタの新しい１ビット目のデータが入力端子ｄ１に伝達されてこれがデータ保持用レジスタ３１に保持されてその端子ｑ１より出力され、それまで出力端子ｑ１より出力されていたデータは次段にシフトされて出力端子ｑ２より出力される。
【００７２】同様に第１シフトレジスタ及び第２シフトレジスタの各２ビット目のデータがデータ保持用レジスタ３２の出力端子Ｑ１、ｑ１より出力され、それまで出力端子Ｑ１、ｑ１より出力されていたデータは次段にシフトされて出力端子Ｑ２、ｑ２より出力されることになる。
【００７３】データ保持用レジスタ３３においても同様な制御が行われ、第１シフトレジスタ及び第２シフトレジスタの各３ビット目のデータがデータ保持用レジスタ３３の出力端子Ｑ１、ｑ１より出力され、それまで出力端子Ｑ１、ｑ１より出力されていたデータは次段にシフトされて出力端子Ｑ２、ｑ２より出力されることになる。
【００７４】そして、高エネルギー部に対する第３の印字データラインがシフトレジスタ３０の第１シフトレジスタにセットされ、低エネルギー部に対する第３の印字データラインがシフトレジスタ３０の第２シフトレジスタにセットされた後、ＬＯＡＤ信号をデータ保持用レジスタ３１、３２、３３・・・のＬＡＴＣＨ端子に入力すると、前記と同様の制御が行われ、データ保持用レジスタ３１においては、その第１シフトレジスタの新しい１ビット目のデータが出力端子Ｑ１より出力され、それまで出力端子Ｑ１、Ｑ２より出力されていたデータは次段にシフトされてそれぞれ出力端子Ｑ２、Ｑ３から出力される。また第２シフトレジスタの新しい１ビット目のデータが出力端子ｑ１より出力され、それまで出力端子ｑ１、ｑ２から出力されていたデータは次段にシフトされてそれぞれ出力端子ｑ２、ｑ３から出力される。
【００７５】データ保持用レジスタ３２においても、同様に、その第１シフトレジスタの新しい２ビット目のデータが出力端子Ｑ１より出力され、それまで出力端子Ｑ１、Ｑ２から出力されていたデータは次段にシフトされてそれぞれ出力端子Ｑ２、Ｑ３から出力される。また第２シフトレジスタの新しい２ビット目のデータが出力端子ｑ１より出力され、それまで出力端子ｑ１、ｑ２から出力されていたデータは次段にシフトされてそれぞれ出力端子ｑ２、ｑ３から出力される。
【００７６】さらにデータ保持用レジスタ３３においても、これまた同様に、その第１シフトレジスタの新しい３ビット目のデータが出力端子Ｑ１より出力され、それまで出力端子Ｑ１、Ｑ２から出力されていたデータは次段にシフトされてそれぞれ出力端子Ｑ２、Ｑ３から出力される。また第２シフトレジスタの新しい３ビット目のデータが出力端子ｑ１より出力され、それまで出力端子ｑ１、ｑ２から出力されていたデータは次段にシフトされてそれぞれ出力端子ｑ２、ｑ３から出力される。
【００７７】ここで前記第１の印字データラインが、図１（Ｂ）、（Ｃ）に示す前２印字ラインに相当し、第２の印字データラインが前１印字ラインに相当し、第３の印字データラインが該当印字ラインに相当する。
【００７８】そしてレジスタ３１の出力端子Ｑ２の出力はナンド回路８に入力（図１（Ａ）のＬＱ２に相当）され、またレジスタ３３の出力端子Ｑ２の出力はナンド回路１０に入力（図１（Ａ）のＲＱ２に相当）される。このようにデータ保持用レジスタ３１、３２、３３の出力に基づき、図１（Ａ）に説明したものと同様の制御回路が構成される。
【００７９】従ってＦＥＴ１に対しては、前記図１（Ｂ）、（Ｃ）に示す印字制御範囲について前記各印字ドットの状態に応じた熱履歴制御が含まれるＳＴＲＯＢＥ１信号、ＳＴＲＯＢＥ２信号にもとづく制御が行れる。この制御はＦＥＴ Ｌ１、ＦＥＴ Ｒ１・・・についても同様に行われる。
【００８０】それ故、シフトレジスタ３０の第１シフトレジスタに高エネルギー部の印字データを入力し、第２シフトレジスタに低エネルギー部の印字データを入力し、前記ＳＴＲＯＢ１信号、ＳＴＲＯＢ２信号、ＧＡＴＥ Ａ１信号、ＧＡＴＥ Ａ２信号、ＧＡＴＥ Ｂ１信号、ＧＡＴＥ Ｂ２信号、ＧＡＴＥ Ｃ１信号、ＧＡＴＥ Ｃ２信号等の制御信号を入力すれば、前記の如き、印字制御範囲をも含めた制御が高エネルギー部の印字データ及び低エネルギー部の印字データにもとづく印字制御が同時に行われ、例えば図５に示す如く、複数色印刷が一回の走査により行われる。
【００８１】前記説明では、高、低の２つのエネルギーに対する実施例について説明したが、本発明は勿論これのみに限定されるものではなく、高、中、低の如く、３つのエネルギーに対する印刷制御を行うことができる。この場合、図１におけるオア回路２を３入力型とし、その３番目の入力部に、例えばアンド回路４と同様に、中エネルギーに対するストローブ信号と、印字制御信号（必要に応じて印字制御範囲に基づく熱履歴制御回路をも含む）を印加すればよい。
【００８２】また色も赤と黒に限定されるものではなく、緑と黒でもその他の組み合わせでも、３色以上の組み合わせでも可能である。本発明のその他の実施の形態について説明する。」
　
　エ　「【００８６】
【発明の効果】本発明によれば下記の如き効果を奏することができる。
（１）本発明によれば
同一走査ラインのデータを、複数の種類のエネルギーにより同時に印刷することができるので、従来のように異なる色単位に走査を行う必要がなく、複数色のサーマルヘッドによる印刷を高速で行うことができ
【００８７】（２）本発明によれば、複数の印字ラインの印字データを保持するデータ保持手段を設けたので、同一走査ラインのデータを複数の種類のエネルギーにより同時に印刷するだけでなく、その前の印字データにもとづく熱履歴制御を行うことができるので、
サーマルヘッドに印加するエネルギーをこの熱履歴制御により細かく調整することができ、高速でしかも発色のきれいな、複数色のサーマルヘッドによる印刷が可能となる
【００８８】（３）本発明によればリライタブルな媒体に対してもその消去、書込みを高速に、しかも正確に行うことができる。」
　
　オ　図１（Ｂ）及び（Ｃ）から、印字制御範囲とは、高エネルギー部分については、該当印字ドットＱ１、その１ライン直前の印字ドットＱ２、その２ライン直前の印字ドットＱ３、１ライン前の左側の印字ドットＬＱ２及び１ライン前の右側の印字ドットＲＱ２であり、低エネルギー部分については、該当印字ドットｑ１、その１ライン直前の印字ドットｑ２及び２ライン直前の印字ドットｑ３であることが見て取れる。
　
　カ　図１及び図３の記載から、次の（ア）ないし（オ）のことが見て取れる。
（ア）複数のＦＥＴ１の各端子ＤＯｎにそれぞれ接続されているヒータはサーマルヘッドに複数ドット分備えられ、各ヒータは対応するＦＥＴ１によりオンオフ制御されること。
　
（イ）各ＦＥＴ１は、対応するオア回路２の出力が「１」でオンし、該出力が「０」でオフすること。
　
（ウ）各オア回路２の出力は、第１多入力アンド回路３及び第２多入力アンド回路４のいずれかの出力が「１」の場合に「１」を出力すること。
　
（エ）各第１多入力アンド回路３は、出力保護回路１３の出力がサーマルヘッドを構成するＩＣが正常動作することを示す「１」であり、サーマルヘッドを高エネルギー部として長時間加熱して用紙上に黒色印字するためのストローブ信号ＳＴＲＯＢＥ１が「０」であり、かつ高エネルギー部の印字ドットＱ１が「１」であるとき、第３多入力アンド回路５の出力が「１」であることを条件に「１」を出力すること。
　
（オ）各第２多入力アンド回路４は、出力保護回路１３の出力がサーマルヘッドを構成するＩＣが正常動作することを示す「１」であり、サーマルヘッドを低エネルギー部として短時間加熱して用紙上に例えば赤色印字するためのストローブ信号ＳＴＲＯＢＥ２が「０」であり、かつ低エネルギー部の印字ドットｑ１が「１」であるとき、第４多入力アンド回路６の出力が「１」であることを条件に「１」を出力すること。
　
　キ　図１及び図２の記載から、次の（ア）及び（イ）のことが見て取れる。
（ア）第１多入力アンド回路３が、各周期（１ｃｙｃｌｅ）において、出力保護回路１３が「１」を出力していることを前提に「１」を出力してヒータを加熱する第１加熱制御期間は、第１多入力アンド回路３において、各周期内の所定の期間Ｔ１の間「０」であるストローブ信号ＳＴＲＯＢＥ１の信号をインバータ１４で反転した第１多入力アンド回路３への第１入力信号が「１」である第１期間（期間Ｔ１）から、ＧＡＴＥ　Ａ１及びＧＡＴＥ　Ａ２とＱ２及びＬＱ２との組み合わせと、ＧＡＴＥ　Ｂ１及びＧＡＴＥ　Ｂ２とＱ３及びＲＱ２との組み合わせとから決まる、第３多入力アンド回路５からの第１多入力アンド回路３への第２入力信号が「０」になっている第２期間を除いた第３期間であり、しかも、第１多入力アンド回路３の出力が「１」になる条件に第１多入力アンド回路３へのＱ１入力が「１」であることが含まれていること。
　
（イ）第２多入力アンド回路４が、各周期（１ｃｙｃｌｅ）において、出力保護回路１３が「１」を出力していることを前提に「１」を出力してヒータを加熱する第２加熱制御期間は、第２多入力アンド回路４において、各周期内の所定の期間Ｔ２の間「０」であるストローブ信号ＳＴＲＯＢＥ２の信号をインバータ２２で反転した第２多入力アンド回路４への第３入力信号が「１」である第４期間（期間Ｔ２）から、ＧＡＴＥ　Ｃ１及びＧＡＴＥ　Ｃ２とｑ２及びｑ３との組み合わせから決まる、第４多入力アンド回路６からの第２多入力アンド回路４への第４入力信号が「０」になっている第５期間を除いた第６期間であり、しかも、第２多入力アンド回路４の出力が「１」になる条件に第２多入力アンド回路４へのｑ１入力が「１」であることが含まれていること。
　
　ク　上記カ及びキからみて、端子ＤＯｎを有するＦＥＴ１、オア回路２、第１多入力アンド回路３、第２多入力アンド回路４、第３多入力アンド回路５、第４多入力アンド回路６、インバータ１４、インバータ２２などからなる図１のサーマルヘッドの制御回路は、ストローブ信号ＳＴＲＯＢＥ１の信号を、ＧＡＴＥ　Ａ１、ＧＡＴＥ　Ａ２、Ｑ２、ＬＱ２、ＧＡＴＥ　Ｂ１、ＧＡＴＥ　Ｂ２、Ｑ３、ＲＱ２等の信号を用い、その出力が「０」である第１期間（期間Ｔ１）からヒータを加熱する第１加熱制御期間である第３期間を求める演算と、ストローブ信号ＳＴＲＯＢＥ２の信号を、ＧＡＴＥ　Ｃ１、ＧＡＴＥ　Ｃ２、ｑ２、ｑ３等の信号を用い、その出力が「０」である第４期間（期間Ｔ２）からヒータを加熱する第２加熱制御期間である第６期間を求める演算とを各周期（１ｃｙｃｌｅ）において同時に行い、オア回路２から、第１多入力アンド回路３へのＱ１入力が「１」であることを条件に、第１加熱制御期間の間「１」を出力し、第２多入力アンド回路４へのｑ１入力が「１」であることを条件に、第２加熱制御期間「１」を出力し、オア回路２が「１」を出力している間、ＦＥＴ１をオンして前記端子ＤＯｎに接続されているヒータをオンする、サーマルヘッドのヒータの駆動回路であることが把握できる。
　
　ケ　上記アないしクから、引用例１には、次の発明が記載されているものと認められる。
「複数のヒータを有するサーマルヘッドの各ヒータを駆動する方法であって、
　前記ヒータの駆動回路であるサーマルヘッドの制御回路を備え、
　高エネルギー部分については、該当印字ドットをＱ１、その１ライン直前の印字ドットをＱ２、その２ライン直前の印字ドットをＱ３、１ライン前の左側の印字ドットをＬＱ２及び１ライン前の右側の印字ドットをＲＱ２とし、低エネルギー部分については、該当印字ドットをｑ１、その１ライン直前の印字ドットをｑ２及び２ライン直前の印字ドットをｑ３とし、それらの範囲を印字範囲と呼ぶとすると、
　前記制御回路は、第１ストローブ信号ＳＴＲＯＢＥ１を、ＧＡＴＥ　Ａ１、ＧＡＴＥ　Ａ２、Ｑ２、ＬＱ２、ＧＡＴＥ　Ｂ１、ＧＡＴＥ　Ｂ２、Ｑ３、ＲＱ２等の信号を用い、その出力が「０」である期間Ｔ１からヒータを加熱する第１加熱制御期間を求める演算と、第２ストローブ信号ＳＴＲＯＢＥ２を、ＧＡＴＥ　Ｃ１、ＧＡＴＥ　Ｃ２、ｑ２、ｑ３等の信号を用い、その出力が「０」である期間Ｔ２からヒータを加熱する第２加熱制御期間を求める演算とを、各周期（１ｃｙｃｌｅ）において同時に行い、Ｑ１入力が「１」であることを条件に、第１加熱制御期間「１」を出力し、ｑ１入力が「１」であることを条件に、第２加熱制御期間「１」を出力し、「１」を出力している間ヒータをオンにして駆動するものであり、
　前記第１ストローブ信号ＳＴＲＯＢＥ１は、前記サーマルヘッドを高エネルギー部として長時間加熱して用紙上に黒色印字するためのものであり、
　前記第２ストローブ信号ＳＴＲＯＢＥ２は、前記サーマルヘッドを低エネルギー部として短時間加熱して用紙上に赤色印字するためのものであり、
　前記第１ストローブ信号ＳＴＲＯＢＥ１が「０」である前記期間Ｔ１は、前記第２ストローブ信号ＳＴＲＯＢＥ２が「０」である前記期間Ｔ２よりも長く、前記第１ストローブ信号ＳＴＲＯＢＥ１と前記第２ストローブ信号ＳＴＲＯＢＥ２とは同時に「０」となって立下がり、
　前記用紙は、高温で印刷するときは黒色で印刷され、低温で印刷するときは赤色で印刷されるという複数色感熱用紙であり、
　例えば、前記印字制御範囲において、該当印字ドットＱ１にのみ印字データがあり、Ｑ２、Ｑ３、ＬＱ２、ＲＱ２に印字データが存在しない場合は、前記ヒータを前記期間Ｔ１だけ加熱制御し、前記印字制御範囲において、該当印字ドットＱ１とその１ライン前の印字ドットＱ２に印字データが存在するときは、前記ヒータを前記期間Ｔ１から前記第１のストローブ信号ＳＴＲＯＢＥ１と同時に「０」になって立下がる前記ＧＡＴＥ Ａ１が「０」である期間ｔ１を除いた期間だけ加熱制御し、前記印字制御範囲において、該当印字ドットｑ１にのみ印字データがあり、ｑ２、ｑ３に印字データが存在しない場合は、前記ヒータを前記期間Ｔ２だけ加熱制御し、前記印字制御範囲において、該当印字ドットｑ１とその１ライン前の印字ドットｑ２に印字データが存在するときは、前記ヒータを期間Ｔ２から前記第２のストローブ信号ＳＴＲＯＢＥ２と同時に「０」になって立下がる前記ＧＡＴＥ Ｃ１が「０」である期間ｔ６を除いた期間だけ加熱制御するものであって、
　同一走査ラインのデータを、複数の種類のエネルギーにより同時に印刷することができるので、従来のように異なる色単位に走査を行う必要がなく、複数色の印刷を高速で行うことができ、サーマルヘッドに印加するエネルギーを熱履歴制御により細かく調整することができるので、高速でしかも発色のきれいな、複数色の印刷が可能となる、
　サーマルヘッドの各ヒータを駆動する方法。」（以下「引用発明」という。）
　
（２）原査定の拒絶の理由に引用された「本願の出願前に頒布された刊行物である特開平９−３００１４号公報（以下「引用例２」という。）」には、次の事項が図とともに記載されている。
　
　ア　「【００５４】本実施形態では、
サーマルヘッド１９の駆動
【００５５】図８（ａ）は本実施形態における通電パルス列の順番で駆動通電パルス信号を生成した場合、図８（ｂ）は本実施形態における通電パルス列の順番と逆の順番で割り当てて記録通電パルスを生成した場合を示す。すなわち、図８（ａ）では、
第１通電パルス列Ｐ１＋第２通電パルス列Ｐ２を黒色の発色通電パルス、第２通電パルス列Ｐ２を赤色の発色通電パルス、第３通電パルス列Ｐ３を熱制御用パルスとし、
第１通電パルス列を熱制御用パルス列（図８（ａ）のＰ３に対応）、第２通電パルス列を赤色の発色通電パルス（図８（ａ）のＰ２に対応）、第２通電パルス列＋第３通電パルス列を黒色の発色通電パルス（図８（ａ）のＰ１、Ｐ２に対応）としている
【００５６】本実施形態の順番の場合、
黒、赤、黒という記録画像を連続記録すると赤記録の記録通電パルス列の前に比較的長い休止時間Ｉ１が生じる。しかし、
赤記録の記録通電パルス列の前にＩ１のような休止時間が存在せず、黒記録の記録通電パルスの前に休止時間Ｉ２が生じる
【００５７】本実施形態で用いた記録媒体１は、図２で示したように赤発色から黒発色の間に赤と黒の混色領域が存在し、この領域をできるだけ使用しないことが混色のない赤画像を得るためには重要である。一般に文字などの二値記録画像では記録層の最大濃度ないしはそれに近い濃度で記録する。そのためには最大濃度を与える記録エネルギーにより、記録層の温度が最大濃度を与える温度以下にならなければよく、それ以上の温度では揺らぎがあっても良い。
【００５８】
二色記録の赤記録では
赤記録のために通電する前の発熱体の温度が一定になっている方が赤記録のための記録エネルギーを印加したとき赤記録層の温度を一定にしやすい
【００５９】図２に示したように、
記録エネルギーの大きい黒記録では蓄熱の割合が大きく、次に記録画素の発色に与える影響が大きい。従って、黒、赤と連続記録する場合
赤記録の記録通電パルス列の前の休止時間Ｉ１が長い方が、発熱体の初期温度が一定になりやすく、
長い休止時間がない場合に比較して、最大濃度で混色のない赤記録を得ることが容易になる
【００６０】また、
黒記録時は赤記録時と比較して高い記録エネルギーが必要なので、
赤と黒の記録通電パルスの間に長い休止時間Ｉ２が生じ、発熱体が冷却されてしまうため、印加エネルギーをセーブする割合が減ってしまう
より小さな記録エネルギーでサーマルヘッドが駆動できることはサーマルヘッドの長寿命化を可能にする
　
　イ　上記アから、引用例２には、
「二色記録の赤記録では、赤記録のために通電する前の発熱体の温度が一定になっている方が赤記録のための記録エネルギーを印加したとき赤記録層の温度を一定にしやすいことと、記録エネルギーの大きい黒記録では蓄熱の割合が大きく、次に記録画素の発色に与える影響が大きいこととから、黒、赤と連続記録する場合、赤記録の記録通電パルス列の前の休止時間が長い方が、発熱体の初期温度が一定になりやすく、長い休止時間がない場合に比較して、最大濃度で混色のない赤記録を得ることが容易になること、
　また、より小さな記録エネルギーでサーマルヘッドが駆動できることはサーマルヘッドの長寿命化を可能にするところ、黒記録時は赤記録時と比較して高い記録エネルギーが必要なので、赤と黒の記録通電パルスの間に長い休止時間が生じ、発熱体が冷却されてしまうと、印加エネルギーをセーブする割合が減ってしまうことからみて、
　第１通電パルス列及び第２通電パルス列を黒色の発色通電パルス、第２通電パルス列を赤色の発色通電パルス、第３通電パルス列を熱制御用パルスとして、黒、赤、黒という記録画像を連続記録すると赤記録の記録通電パルス列の前に比較的長い休止時間が生じるように、サーマルヘッドに通電して駆動する第１の二色記録方法の方が、
　第１通電パルス列を熱制御用パルス列、第２通電パルス列を赤色の発色通電パルス、第２通電パルス列及び第３通電パルス列を黒色の発色通電パルスとして、黒、赤、黒という記録画像を連続記録すると赤記録の記録通電パルス列の前に休止時間が存在せず、黒記録の記録通電パルスの前に休止時間が生じるように、サーマルヘッドに通電して駆動する第２の二色記録方法よりも、混色防止及び長寿命化の点で優れている。」という技術事項（以下「引用技術」という。）が記載されているものと認められる。
　
４　対比
　本願補正発明と引用発明とを対比する。
（１）引用発明の「高温で印刷するときは黒色で印刷され、低温で印刷するときは赤色で印刷されるという複数色感熱用紙」、「加熱」、「サーマルヘッド」、「ヒータ」、「『サーマルヘッドを高エネルギー部として長時間加熱して用紙上に黒色印字する』ためのものである『第１ストローブ信号ＳＴＲＯＢＥ１』」、「『サーマルヘッドを低エネルギー部として短時間加熱して用紙上に例えば赤色印字する』ためのものである『第２ストローブ信号ＳＴＲＯＢＥ２』」、「ヒータの駆動回路であるサーマルヘッドの制御回路」、「各周期（１ｃｙｃｌｅ）において」、「『０』である」、「高温」、「低温」、「第１ストローブ信号ＳＴＲＯＢＥ１が「０」である前記期間Ｔ１は、前記第２ストローブ信号ＳＴＲＯＢＥ２が「０」である前記期間Ｔ２よりも長く」及び「サーマルヘッドの各ヒータを駆動する方法」は、それぞれ、本願補正発明の「被加熱印刷体」、「加熱」、「サーマルヘッド」、「発熱体」、「高温発色温度まで加熱する第１のパルス」、「低温発色温度まで加熱する第２のパルス」、「加熱制御手段」、「１ライン周期の間に」、「印加」、「第１の温度」、「第２の温度」、「第１のパルスの幅より狭い前記第２のパルス」及び「サーマルヘッド駆動方法」に相当する。
　
（２）引用発明の「サーマルヘッドの発熱体（サーマルヘッドの各ヒータ）」は、サーマルヘッドを高エネルギー部として長時間加熱して、「高温で印刷するときは黒色で印刷され、低温で印刷するときは赤色で印刷されるという複数色感熱用紙」上に黒色印字し、サーマルヘッドを低エネルギー部として短時間加熱して前記用紙上に例えば赤色印字するから、本願補正発明の「サーマルヘッドの発熱体」と、「被加熱印刷体を加熱する」点で一致する。
　
（３）引用発明の「加熱制御手段（ヒータの駆動回路であるサーマルヘッドの制御回路）」は、第１ストローブ信号ＳＴＲＯＢＥ１を、ＧＡＴＥ　Ａ１、ＧＡＴＥ　Ａ２、Ｑ２、ＬＱ２、ＧＡＴＥ　Ｂ１、ＧＡＴＥ　Ｂ２、Ｑ３、ＲＱ２等の信号を用い、その出力が「０」である期間Ｔ１からヒータを加熱する第１加熱制御期間を求める演算と、第２ストローブ信号ＳＴＲＯＢＥ２を、ＧＡＴＥ　Ｃ１、ＧＡＴＥ　Ｃ２、ｑ２、ｑ３等の信号を用い、その出力が「０」である期間Ｔ２からヒータを加熱する第２加熱制御期間を求める演算とを、各周期（１ｃｙｃｌｅ）において同時に行い、Ｑ１入力が「１」であることを条件に、第１加熱制御期間の間「１」を出力し、ｑ１入力が「１」であることを条件に、第２加熱制御期間「１」を出力し、「１」を出力している間ヒータをオンにして駆動するものであるところ、この「第１加熱制御期間を求める演算と、第２加熱制御期間を求める演算とを、各周期（１ｃｙｃｌｅ）において同時に行い、Ｑ１入力が「１」であることを条件に、第１加熱制御期間の間「１」を出力し、ｑ１入力が「１」であることを条件に、第２加熱制御期間「１」を出力し、「１」を出力している間ヒータをオンにして駆動する」ことは、本願補正発明の「高温発色温度まで加熱する第１のパルスと低温発色温度まで加熱する第２のパルスを並列信号で処理して前記発熱体に印加する」するから、引用発明の「加熱制御手段」と本願補正発明の「加熱制御手段」とは「高温発色温度まで加熱する第１のパルスと低温発色温度まで加熱する第２のパルスを並列信号で処理して前記発熱体に印加する」点及び「前記発熱体を１ライン周期の間に第１の温度に加熱するための前記第１のパルスを印加し、前記発熱体を１ライン周期の間に前記第１の温度より低い前記第２の温度に加熱するため前記第１のパルスの幅より狭い前記第２のパルスを印加する」で一致する。
　
（４）上記（１）ないし（３）によれば、本願補正発明と引用発明とは、
「被加熱印刷体を加熱するサーマルヘッドの発熱体と、
　高温発色温度まで加熱する第１のパルスと低温発色温度まで加熱する第２のパルスを並列信号で処理して前記発熱体に印加する加熱制御手段とを有し、
　前記加熱制御手段で、前記発熱体を１ライン周期の間に第１の温度に加熱するための前記第１のパルスを印加し、前記発熱体を１ライン周期の間に前記第１の温度より低い前記第２の温度に加熱するため前記第１のパルスの幅より狭い前記第２のパルスを印加するサーマルヘッド駆動方法。」である点で一致し、次の点で相違する。
　
相違点：
　前記第２のパルスを印加する際、本願補正発明では、前記第１のパルスよりも印加開始のタイミングが遅れて、しかも前記第１のパルスの印加期間と印加開始が重なるように前記第２のパルスを印加するようにして印加タイミングに時間差を設けるのに対して、引用発明では、第１ストローブ信号ＳＴＲＯＢＥ１と前記第２ストローブ信号ＳＴＲＯＢＥ２とは同時に「０」となって立下がっている、すなわち、前記第１のパルスよりも印加開始のタイミングが遅れておらず、しかも前記第１のパルスの印加開始と印加開始が同時になるように前記第２のパルスを印加するようにして印加タイミングに時間差を設けていない点。
　
５　判断
　上記相違点について検討する。
（１）引用例２には、上記３（２）イに記載したとおりの引用技術が記載されている。
　
（２）引用発明の「サーマルヘッド駆動方法」は、前記第１ストローブ信号ＳＴＲＯＢＥ１と前記第２ストローブ信号ＳＴＲＯＢＥ２とは同時に「０」となって立下がっており、かつ、前記第１ストローブ信号ＳＴＲＯＢＥ１が「０」である期間Ｔ１は、前記第２ストローブ信号ＳＴＲＯＢＥ２が「０」である期間Ｔ２よりも長いから、Ｑ１入力が「１」であることを条件に、第１加熱制御期間の間「１」を出力して黒色の印字ドットを印刷し、次の印字ラインで、ｑ１入力が「１」であることを条件に、第２加熱制御期間「１」を出力し赤色の印字ドットを連続印刷する場合、赤色の印字ドットを印刷するための第２加熱制御期間「１」である出力の前には長い休止時間が生じないとともに、ｑ１入力が「１」であることを条件に、第２加熱制御期間「１」を出力し赤色の印字ドットを印刷し、次の印字ラインで、Ｑ１入力が「１」であることを条件に、第１加熱制御期間の間「１」を出力して黒色の印字ドットを連続印刷する場合、赤色の印字ドットを印刷するための第２加熱制御期間「１」である出力と黒色の印字ドットを印刷するための第１加熱制御期間「１」である出力との間の休止時間は長いものになる。
　したがって、引用発明の「サーマルヘッド駆動方法」は、引用技術に照らせば、引用技術における第２の二色記録方法と同様の傾向のものであることとが当業者に自明である。
　
（３）そうすると、引用発明において、引用技術における第１の二色記録方法のように、黒色の印字ドット、赤色の印字ドット、黒色の印字ドットという印刷を連続して行うと、赤色の印字ドットを印刷するための第２加熱制御期間「１」である出力の前に比較的長い休止時間が生じるようにして、混色防止及び長寿命化の点で優れたものとするために、前記第２のパルスを印加する際、前記第１のパルスよりも印加開始のタイミングが遅れて、しかも前記第１のパルスの印加期間と印加開始が重なるように前記第２のパルスを印加するようにして印加タイミングに時間差を設けるようになすことは、当業者が引用技術に基づいて容易に想到することができた程度のことである。
　
（４）効果について
　本願補正発明の奏する効果は、引用発明の奏する効果及び引用技術の効果から、当業者が予測できた程度のものである。
　
（５）まとめ
　以上のとおりであるから、本願補正発明は、当業者が引用例１に記載された発明及び引用例２に記載された技術事項に基づいて容易に発明をすることができたものである。
　したがって、本願補正発明は、特許法第２９条第２項の規定により、特許出願の際独立して特許を受けることができないものである。
　
６　小括
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　本件補正は上記のとおり却下されたので、本願の請求項１ないし４に係る発明は、平成２１年７月２日付け手続補正により補正された明細書の特許請求の範囲の請求項１ないし４に記載された事項によって特定されるものであるところ、請求項１に係る発明（以下「本願発明」という。）は、平成２１年７月２日付け手続補正により補正された明細書及び図面の記載からみて、上記「第２〔理由〕１（１）」に本件補正前の請求項１として記載したとおりのものと認める。
　
２　引用例
　原査定の拒絶の理由に引用された引用例及びその記載事項は、前記「第２〔理由〕３」に記載したとおりである。
　
３　対比・判断　
　本願補正発明は、上記「第２〔理由〕２」で述べたとおり、本願発明を特定するために必要な事項について限定を付加したものに相当する。
　そうすると、本願発明の構成要件をすべて含みさらに限定を付加したものに相当する本願補正発明が、前記「第２〔理由〕５」に記載したとおり、当業者が引用例１に記載された発明及び引用例２に記載された技術事項に基づいて容易に発明をすることができたものであるから、本願発明も同様の理由により、当業者が引用例１に記載された発明及び引用例２に記載された技術事項に基づいて容易に発明をすることができたものである。
　
４　むすび
　本願発明は、当業者が引用例１に記載された発明及び引用例２に記載された技術事項に基づいて容易に発明をすることができたものであるから、特許法第２９条第２項の規定により特許を受けることができない。
　よって、結論のとおり審決する。